(57)【要約】      （修正有）【課題】内容物を収納する容器を逆さまに立てた場合に、転倒することのない容器立てを提供する。【解決手段】容器Ｙを倒立させて保持するための円筒中空状の保持部２０と、保持部を支持するとともに、土台となるベース部３０と、を有し、ベース部は保持部に容器を倒立して保持したときに転倒を防止する。【選択図】図３
0003229285.tif 000002
【実用新案登録請求の範囲】
【請求項１】
容器を倒立させて保持するための保持部と、
前記保持部を支持するとともに、土台となるベース部と、を有し、
前記ベース部は、前記保持部に容器を倒立して保持したときに転倒を防止する容器立て。
【請求項２】
前記保持部を複数有する請求項１記載の容器立て。
【請求項３】
前記保持部は円筒形状を呈する請求項１または２記載の容器立て。
【考案の詳細な説明】
【技術分野】
【０００１】
本考案は、容器立てに関するものである。
【背景技術】
【０００２】
マヨネーズあるいはケッチャプ、ソース、ドレッシング、すりおろしにんにく、からし、すりおろしショウガ、練り歯磨きなどの粘性の内容物は、柔軟性を有する樹脂製の容器に収納されている。また、上述の調味料に限られず、紙同士を接着するのり、粘性を有する接着剤なども柔軟性を有する樹脂製の容器に収納されている。
【０００３】
これらの粘性を有する内容物は、使い始めは特に問題がないが、中身が少量になると容器の底部分にたまり、その容器を絞り出さなければならず、極めて不便である。そこで、その容器を逆さまにすることによって、その粘性を有する内容物を下方に落下させることにより、容器の口部分から、流出させやすくなるということが行われている。
【０００４】
しかしながら、これらの容器は逆さまにした倒立させた状態を保持することは想定されていない。これを解決するために、特開２０１５−９８２５号公報において中空筒状体の内部に平面視にて中央空間部から側壁に向けて放射状に伸びる複数のリブが互いに間隔をおいて設けてなるチューブ容器の逆さ立て器具であって、前記リブは可撓性材料からなる略半円弧状をなし、背面を側壁に向け且つ先細部を上向きにして設け、中央空間部にチューブ容器を下向きに逆さに立て該リブを介して支持させることを特徴とするチューブ容器の逆さ立て器具が開示されている。
【０００５】
しかしながら、上述の器具に粘性の内容物を収納する容器を逆さまに立てた場合に、転倒する場合がある。
【先行技術文献】
【特許文献】
【０００６】
【特許文献１】特開２０１５−９８２５号公報
【考案の開示】
【考案が解決しようとする課題】
【０００７】
そこで、本考案は前記の点に着目してなされたもので、内容物を収納する容器を逆さまに立てた場合に、転倒することのない容器立てを提供することである。
【課題を解決するための手段】
【０００８】
前記の課題を解決するために、第１観点の容器立ては、容器を倒立させて保持するための保持部と、保持部を支持するとともに、土台となるベース部と、を有し、ベース部は保持部に容器を倒立して保持したときに転倒を防止するというものである。
【０００９】
また、第２観点の容器立ては、第１観点において、保持部を複数有するというものである。
【００１０】
また、第３観点の容器立ては、第１観点または第２観点において、保持部は円筒形状を呈するというものである。
【考案の効果】
【００１１】
本考案は以上のように構成され、かつ、作用するものであるから、内容物を収納する容器を逆さまに立てた場合に、転倒することのない容器立てを提供することができる。
【図面の簡単な説明】
【００１２】
【図１】第１実施例の容器立ての斜視図である。
【図２】第１実施例の容器立ての断面図である。
【図３】第１実施例の容器立てに、容器を倒立させた（逆さまに立てた）状態の斜視図である。
【図４】第１実施例の容器立てに、容器を倒立させた（逆さまに立てた）状態の断面図である。
【図５】第２実施例の容器立ての斜視図である。
【図６】第２実施例の容器立てに、複数の容器を倒立させた（逆さまに立てた）状態の断面図である。
【考案を実施するための最良の形態】
【００１３】
以下、図示の実施形態を参照して、第１実施例の容器立て１０について説明する。容器立て１０は、容器を倒立させて保持するための保持部２０と、その保持部２０を支持するとともに、土台となるベース部３０と、を有するものである。ここで倒立とは、容器を逆さまにすることをいい、特に容器Ｙの注ぎ口となる先端部Ｍを下方にすることをいう。
【００１４】
保持部２０は、円筒形状することが好ましく、たとえば、マヨネーズやケッチャップなどを収納する柔軟性を有する、容器Ｙの先端部Ｍを差し込める径の大きさであることが好ましい。
【００１５】
また、保持部２０の高さについては、容器Ｙの注ぎ口を有する先端部Ｍを差し込んだときに、保持部の開口部２２が容器Ｙに接することで、その先端部Ｍが、保持部２０のベース部３０に接触しない程度が好ましい。もっとも、先端部Ｍが、保持部２０の底部分２１に接することを排除する趣旨ではない。
【００１６】
また保持部２０は、ベース部３０に接続されている。また保持部２０は合成樹脂製が好ましく、またベース部３０も合成樹脂製とすることで互いに接着することができる。もっともそれ以外の素材を使用することを排除するものではない。例えば、ベース部３０に木材、ボール紙あるいは、ステンレス、アルミニウム合金などの金属素材を使用することができる。また保持部２０も同様である。その場合の接続方法は公知の方法、例えば接着の他溶接なども採用することができる。また保持部２０とベース部３０は一体であってもよい。
【００１７】
また、図示しないがベース部３０に、保持部２０を配置するための貫通孔を設けそれに保持部２０嵌合するように配置することもできる。
【００１８】
ベース部３０は板状を呈するとともに、平面視円形状を呈することが好ましい。また、ベース部３０の径のサイズは、保持部２０の径の３倍以上が好ましい。このように、ベース部３０の径を保持部２０の径よりの大とすることで、保持部２０に容器Ｙを差し込んだときにその転倒を防止することができるというものである。
【００１９】
次に、第２実施例の容器立て１００について説明する。第１実施例の容器立て１０との相違は、２か所の保持部２０と、２か所の第２保持部１２０とを有することである。またそれに応じて、その２か所の保持部２０および２か所の第２保持部１２０を支持するとともに、それらの土台となる第２ベース部１３０と、を有するものである。もっとも、保持部２０は上述の第１実施例の保持部２０と同一であるので、同一の符号を付しその説明を省略する場合がある。なお、第２実施例の容器立て１００は合計４か所の保持部２０、第２保持部１２０を有するものであるが、これらが４か所に限定されるというものではない。従って、それ以上有する場合であっても好ましい。また複数の保持部２０と、複数の第２保持部１２０とは、それぞれ第２ベース部１３０と一体であってもよい。
【００２０】
上述の第２保持部１２０と保持部２０との相違点は、その高さが異なるものである。このように、保持部２０は、マヨネーズやケッチャプの容器Ｙを配置することができるとともに、第２保持部１２０は、すりおろしにんにくのチューブ状の容器Ｘまたは、からしのチューブ状の容器Ｘをそれぞれ逆さまにすなわち倒立させて配置することができる。したがって第２保持部１２０の径を、保持部２０の径よりも小とすることもできる。もっとも、第２保持部１２０の径は保持部２０と同一の径であってもよい。
【００２１】
第２ベース部１３０は、２か所の保持部２０と、２か所の第２保持部１２０を配置するために、ベース部３０よりもその面積が大であることが好ましい。また、第２ベース部１３０は、だ円形状を呈することも好ましい。な
【００２２】
このように第２実施例の容器立て１００の保持部は４か所有しているので、例えば、ケチャプの容器Ｙ、マヨネーズの容器Ｙ、すりおろしにんにくのチューブ状の容器Ｘ、からしのチューブ状の容器Ｘをそれぞれ逆さまの立てることができる。また、さらに、第２実施例の容器立て１００は、上述の複数の容器Ｙ、Ｘ、を一か所に配置することができるので、それらの複数の容器Ｘ、Ｙを整理して配置することができる。なお、上述の第１実施例の容器立て１０および第２実施例の容器立て１００はいずれも、粘性を有する内容物を収納した柔軟性を容器Ｘ、Ｙに適用することが好ましいがこれに限られるというものではない。
【符号の説明】
【００２３】
１０  第１実施例の容器立て
２０  保持部
３０  ベース部
１００  第２実施例の容器立て
１２０  第２保持部
１３０  第２ベース部
Ｙ  容器
Ｘ  チューブ状の容器
【図１】
0003229285.tif 000003
【図２】
0003229285.tif 000004
【図３】
0003229285.tif 000005
【図４】
0003229285.tif 000006
【図５】
0003229285.tif 000007
【図６】
0003229285.tif 000008